(57)【要約】【課題】複数のハンドセットによる通信の相手先との同時対話を自動的に防止することができるようにする。【解決手段】使用中のハンドセット４または５のマイク４ａ，４ｂからの音声信号は送信部２で処理されて通信の相手先に無線送信され、また、通信の相手先からの音声信号は受信部３で受信されて処理され、使用中のハンドセット４または５のスピーカ４ｂまたは５ｂに供給される。これにより、通信の相手先との対話ができる。また、使用中のハンドセット４または５のマイク４ａ，４ｂからの音声信号は送信部２のＡＭＰ部６から受信部３のＡＭＰ部１７に供給され、ＡＴＴ部２７または２６で減衰されて使用されていない方のハンドセット５または４のスピーカ５ｂまたは４ｂに供給される。これにより、使用されていない方のハンドセット５または４で、使用中のハンドセット４または５があることが通知される。【選択図】図１
2012205226.tif 000002
【特許請求の範囲】
【請求項１】
複数のハンドセットを備え、該ハンドセットを使用して通信の相手先と無線通信で対話を行なうための対話確認機能付き無線装置であって、
該ハンドセットの夫々に、複数の該ハンドセットのいずれか１つが対話に使用されているとき、該対話に使用中のハンドセットがあることを通知する手段を設けたことを特徴とする対話確認機能付き無線装置。
【発明の詳細な説明】
【技術分野】
【０００１】
本発明は、消防自動車などの車両に載置され、車内からでも、また、車外からでも通信の相手先との対話ができるようにした対話確認機能付き無線装置に関する。
【背景技術】
【０００２】
従来、複数のハンドセットが設けられ、夫々のハンドセットで通信の相手先との対話ができるようにした車載無線装置が知られている（例えば、特許文献１参照）。
【０００３】
図３はかかる従来の車載無線装置の一従来例を示すブロック構成図であって、１は車載無線装置、２は送信部、３は受信部、４，５はハンドセット、４ａ，５ａはマイク、４ｂ，５ｂはスピーカ、６はＡＭＰ（増幅）部、７はＡ／Ｄ（アナログ／デジタル）変換部、８は音声符号化部、９はＣＨ（チャンネル）符号化部、１０はＤ／Ａ（デジタル／アナログ）変換部、１１はＲＦ（無線周波）部、１２はＲＦ部、１３はＡ／Ｄ変換部、１４はＣＨ復号化部、１５は音声復号化部、１６はＤ／Ａ変換部、１７はＡＭＰ部、１８は制御部、１９は操作部、２０は表示部である。
【０００４】
同図において、この車載無線装置１は、送信部２と受信部３と制御部１８と操作部１９と表示部２０とから構成されており、これに２つのハンドセット４，５が設けられている。ハンドセット４はマイク４ａとスピーカ４ｂとを備え、また、ハンドセット５はマイク５ａとスピーカ５ｂとを備えており、これらマイク４ａ，５ａは送信部２に、また、これらスピーカ４ｂ，５ｂは受信部３に夫々接続されている。
【０００５】
送信部２は、ハンドセット４，５のマイク４ａ，５ａからの音声信号を増幅するＡＭＰ部６と、増幅されたこの音声信号をデジタル音声信号に変換するＡ／Ｄ変換部７と、このデジタル音声信号を符号化する音声符号化部８と、この符号化されたデジタル音声信号を規定された無線フォーマットのチャンネルの信号に組み立てるＣＨ符号化部９と、このＣＨ符号化部９からの音声チャンネル信号をアナログ音声チャンネル信号に変換するＤ／Ａ変換部１０と、このアナログ音声チャンネル信号を無線周波信号に変換して無線送信するＲＦ部１１とで構成されている。
【０００６】
また、受信部３は、所定チャンネルの音声の無線周波信号を受信して低周波数信号に変換するＲＦ部１２と、この受信信号をデジタル信号に変換するＡ／Ｄ変換部１３と、このデジタル受信信号の規定のフォーマットからデジタルの音声データを抽出するＣＨ復号化部１４と、抽出されたこの音声データを復号する音声復号化部１５と、復号されたこのデジタル音声信号をアナログ音声信号に変換するＤ／Ａ変換部１６と、このアナログ音声信号を増幅するＡＭＰ部１７とから構成されており、この増幅されたアナログ音声信号が受信部３から出力されて、ハンドセット４，５のスピーカ４ｂ，５ｂに供給される。
【０００７】
ハンドセット４が使用されるときには、マイク４ａからの音声信号が送信部２に供給され、そのＡＭＰ部６，Ａ／Ｄ変換部７，音声符号化部８，ＣＨ符号化部９，Ｄ／Ａ変換部１０及びＲＦ部１１で処理されて通信の相手先に送信され、また、通信の相手先からの送信音声信号は、受信部３において、ＲＦ部１２で受信され、Ａ／Ｄ変換部１３，ＣＨ復号化部１４，音声復号化部１５及びＤ／Ａ変換部１６で処理され、ＡＭＰ部１７で増幅された後、制御部１８の制御により（このとき、制御部１８は、ハンドセット４が使用状態にあることを検出している）、この通信の相手先からの音声信号が使用されているハンドセット４のスピーカ４ｂに供給される。他方のハンドセット５が使用されているときには、そのマイク５ａからの音声信号は、上記と同様、送信部２で処理されて通信の相手先に送信されるが、相手側からの音声信号は受信部３のＡＭＰ部１７から使用中のハンドセット５のスピーカ５ｂに供給される。
【０００８】
従って、ハンドセット４，５のいずれからも、通信の相手先と無線通信で対話することができる。
【０００９】
なお、制御部１８は、ハンドセット４は車内の所定の設置場所に設置されており、また、ハンドセット５は車体の外側の所定の設置場所に設置されており、これらを使用するときには、搭乗者がこれらハンドセット４，５をその設置場所からから取り上げる。このとき、取り上げられたハンドセット４または５に対しては、その設置場所から制御部１８に信号（使用通知信号）が送信され、これにより、制御部１８はハンドセット４または５が使用状態になったことを検知することができる。あるいはまた、制御部１８は、送信部２のＡＭＰ部６の入力端子側を監視しており、ハンドセット４または５のマイク４ａまたは５ａから音声信号が入力されると、これを検知することにより、ハンドセット４または５が使用状態になったことを検知することができる。
【００１０】
図４はかかる車載無線装置でのハンドセット３，５の車両での配置関係を示す概略構成図であって、２１は車両のフロントパネル、２２，２３はケーブル、２４は車両であり、図３に対応する部分には同一符号をつけて重複する説明を省略する。
【００１１】
同図において、車載無線装置１（図３）は概略的に示す車両（ここでは、例えば、消防自動車とする）２４の車内に設けられてフロントパネル２１に取り付けられており、一方のハンドセット４はフロントパネル２１から引き出されたケーブル２２に接続されている。このケーブル２２は、このハンドセット４のマイク４ａを送信部２（図３）に、スピーカ４ｂを受信部３（図３）に夫々接続するものである。他方のハンドセット５は、車両、この場合、消防自動車２４の車体の外（以下、車外という）が用いられるものであり、車内から車外に引き出されたケーブル２３に接続されている。このケーブル２３は、このハンドセット５のマイク５ａを送信部２（図３）に、スピーカ５ｂを受信部３（図３）に夫々接続するものである。
【００１２】
かかる構成により、かかるハンドセット４，５の利用者（これらハンドセット４，５が消防自動車などの車両に設置されている場合には、その搭乗者）は、その車内、即ち、運転席や助手席に居る場合には、ハンドセット４を用いて通信の相手先との対話を行なうことができるし、また、車外からも、利用者はハンドセット５を用いることによって通信の相手先との対話を行なうことができる。
【先行技術文献】
【特許文献】
【００１３】
【特許文献１】特開２００７ー１３５１１６号公報
【発明の概要】
【発明が解決しようとする課題】
【００１４】
ところで、上記従来の車両無線装置では、消防自動車２４の車内からも、また、車外からも通信の相手先との対話を行なうことができるが、消防自動車である場合には、複数の利用者が居て、そのうちのいずれかの利用者（この場合は消防士）が車内で通信の相手先との対話を行なう場合もあるし、車外で通信の相手先との対話を行なう場合もあり、しかも、車内と車外とで同時に通信の相手先との対話を行なうような状態になる場合もある。
【００１５】
このような場合には、車内の利用者は室外の利用者がどのような状態にあるのか、また、車外の利用者は車内の利用者がどのような状態にあるのか、わからない場合が多いので、例えば、車内の利用者がハンドセット４を用いて通信の相手先との対話を行なっているとき、車外の利用者がハンドセット５を用いて通信の相手先との対話を始めるような場合もあり、このような場合には、図３において、ハンドセット４のマイク４ａからの音声信号が送信部２に供給されている状態でハンドセット５のマイク５ａからも音声信号が送信部２に供給されることになり、通信の相手先としては、ハンドセット４を用いて対話している車内の利用者との対話にノイズが混入したように感じられ、これまで対話していた利用者との対話がしにくい状態となる。しかも、これまで対話していた車内の利用者は、車外の利用者がハンドセット５を用いて対話したことを知ることができず、勿論車外の利用者も、車内の利用者が対話を行なっていることを知ることができないので、かかる状態が続いてしまうことになるし、また、かかる状態を解消するためには、通信の相手先からの通報が必要であり、しかも、室内の利用者は通信の相手先との対話を中断して車外の利用者に対話中であることを通知することが必要となる。
【００１６】
本発明の目的は、かかる問題を解消し、複数のハンドセットによる通信の相手先との同時対話を自動的に防止することができるようにした対話確認機能付き無線装置を提供することである。
【課題を解決するための手段】
【００１７】
上記目的を達成するために、本発明は、複数のハンドセットを備え、このハンドセットを使用して通信の相手先と無線通信で対話を行なうための対話確認機能付き無線装置であって、ハンドセットの夫々に、複数のハンドセットのいずれか１つが対話に使用されているとき、対話に使用中のハンドセットがあることを通知する手段を設けたことを特徴とする。
【発明の効果】
【００１８】
本発明によると、いずれかのハンドセットが対話に使用されているときには、使用されない全てのハンドセットに使用中のハンドセットがあることが通知されるので、使用されていない状態にあるハンドセットを対話に使用する際には、使用中のハンドセットの有無を容易にかつ確実に認識することができ、２以上のハンドセットが同時に対話に使用されて使用中のハンドセットの対話にノイズが混入することを確実に防止することができ、
【図面の簡単な説明】
【００１９】
【図１】本発明による対話確認機能付き無線装置の一実施形態を示すブロック構成図である。
【図２】本発明による対話確認機能付き無線装置の他の実施形態を示すブロック構成図である。
【図３】車載無線装置の一従来例を示すブロック構成図である。
【図４】図３における車載無線装置でのハンドセットの車両での配置関係を示す概略構成図である。
【発明を実施するための形態】
【００２０】
以下、本発明の実施形態を図面を用いて説明する。
【００２１】
図１は本発明による対話確認機能付き無線装置の一実施形態を示すブロック構成図であって、２５はパス、２６，２７はＡＴＴ部（減衰部）であり、図３に対応する部分には同一符号を付けて重複する説明を省略する。
【００２２】
同図において、この実施形態では、送信部２のＡＭＰ部６の出力端子から受信部３のＡＭＰ部１７の入力端子にパス２５が設けられており、ハンドセット４のマイク４ａからの音声信号やハンドセット５のマイク５ａからの音声信号は、送信部２におけるＡＭＰ部６で増幅された後、受信部３のＡＭＰ部１７にも供給される。ここで、この音声信号に対するＡＭＰ部１７の入力端子と、Ｄ／Ａ変換部１６からの音声信号に対するＡＭＰ部１７の入力端子１７とは異なっている。また、受信部３のＡＭＰ部１７のハンドセット４への出力端子とハンドセット４のスピーカ４ｂとの間には、制御部１８によって減衰率が制御されるＡＴＴ部２６が設けられており、受信部３のＡＭＰ部１７のハンドセット５への出力端子とハンドセット５のスピーカ５ｂとの間には、制御部１８によって減衰率が制御されるＡＴＴ部２７が設けられている。
【００２３】
ハンドセット４が通信の相手先との対話に使用されているときには、送信部６のＡＭＰ部６で増幅されたマイク４ａからの音声信号は、上記のように、Ａ／Ｄ変換部７に供給されるとともに、パス２５を介して受信部３のＡＭＰ部１７にも供給されるが、この音声信号は、ＡＭＰ部１７で増幅された後、制御部１８の制御により、ＡＴＴ部２７で減衰処理されて使用されていないハンドセット５のスピーカ５ｂに供給される。また、このとき受信部３で受信される通信の相手先からの音声信号は、受信部３のＡＭＰ部１７で増幅された後、制御部１８の制御により、ＡＴＴ部２６で減衰されることなく、使用されているハンドセット４のスピーカ４ｂに供給される。
【００２４】
これにより、ハンドセット４が通信の相手先との対話に用いられているときには、他方の使用されていないハンドセット５では、この対話に使用されているハンドセット４のマイク４ａから入力された音声信号による音声がスピーカ５ｂから出力されることになる。従って、このハンドセット５を使用しようとする利用者は、スピーカ５ｂから流れるハンドセット４の使用者の音声を基に、他のハンドセット、即ち、ハンドセット４が対話に使用中であることを認識することができる。
【００２５】
他方のハンドセット５が使用されているときも同様であって、マイク５ａから入力された音声信号が送信部２のＡＭＰ部６からパス２５を介して受信部３のＡＭＰ部１７に供給され、制御部１８の制御のもとに、このＡＭＰ部１７からＡＴＴ部２６で減衰処理されて使用されていない方のハンドセット４のスピーカ４ｂに供給される。これにより、ハンドセット４を使用しようとする利用者は、ハンドセット５が通信の相手先との対話に使用されていることを認識することができる。また、この場合には、通信の相手先からの受信音声信号は、受信部３のＡＭＰ部１７から、ＡＴＴ部２７で減衰されることなく、使用中のハンドセット５のスピーカ５ｂに供給される。
【００２６】
なお、ＡＴＴ部２６は、ハンドセット４が使用されて通信の相手先からの受信音声信号がこのハンドセット４のスピーカ４ｂに供給されるときには、減衰されずにこの受信音声信号が受信部３のＡＭＰ部１７で増幅された状態で供給されるようにし、ハンドセット４が使用されず、他方のハンドセット５が使用されているときには、受信部３のＡＭＰ部１７からの他方のハンドセット５からの音声信号が減衰されてこのＡＭＰ部１７による増幅分をキャンセルするようにするものである。ＡＴＴ部２７も同様であり、ハンドセット５が使用されて通信の相手先からの受信音声信号がこのハンドセット５のスピーカ５ｂに供給されるときには、減衰されずに受信部３のＡＭＰ部１７で増幅された状態で供給されるようにし、ハンドセット５が使用されず、他方のハンドセット４が使用されているときには、受信部３のＡＭＰ部１７からの他方のハンドセット４からの音声信号が減衰されてこのＡＭＰ部１７による増幅量分をキャンセルするようにするものである。
【００２７】
以上のように、この実施形態では、一方のハンドセット４または５が通信の相手先との対話に使用中にあるときには、使用されていない他方のハンドセット５または４のスピーカ５ｂまたは４ｂに使用されているハンドセット４または５のマイク４ａまたは５ａから入力された音声が出力されるので、使用されていないハンドセット５または４を通信の相手先との対話に使用する際、他方のハンドセット４または５が使用中であるか否かを確実に、かつ容易に認識することができる。
【００２８】
図２は本発明による対話確認機能付き無線装置の他の実施形態を示すブロック構成図であって、４ｃ，５ｃは表示部であり、図３に対応する部分には同一符号を付けて重複する説明を省略する。
【００２９】
同図において、この実施形態では、ハンドセット４に表示部４ｃが設けられ、ハンドセット５に表示部５ｃが設けられている。これら表示部４ｃ，５ｃは他方のハンドセット５または４が使用状態にあるか否かをこれを使用しようとする利用者に通知するためのものである。
【００３０】
即ち、ハンドセッド５が使用されていない状態（このとき、ハンドセット４の表示部４ｃは表示状態にない）でハンドセット４が利用者によって利用開始されると、制御部１８はこれを検知し、ハンドセット５の表示部５ｃを動作開始させる。これにより、表示部５ｃは表示状態となり、このハンドセット５を使用しようとする利用者は他方のハンドセット４が使用状態にあることを認識することができ、このハンドセット５の使用を差し控えさせることができる。なお、ハンドセット４の使用が終了すると、制御部１８はこれを検知し、ハンドセット５での表示部５ｃの表示状態を終了させる。ハンドセッド４が使用されていない状態（このとき、ハンドセット５の表示部５ｃは表示状態にない）でハンドセット５が利用者によって利用開始される場合も同様であって、制御部１８はこれを検知し、ハンドセット４の表示部４ｃを動作開始させる。これにより、表示部４ｃは表示状態となり、このハンドセット４を使用しようとする利用者は他方のハンドセット５が使用状態にあることを認識することができ、このハンドセット４の使用を差し控えさせることができる。なお、ハンドセット５の使用が終了すると、制御部１８はこれを検知し、ハンドセット４での表示部４ｃの表示状態を終了させる。
【００３１】
ここで、表示部４ｃ，５ｃとしては、ＬＣＤ（Light Crystal Display）やＬＥＤ（Light Emitting Diode）などを用いることができる。
【００３２】
表示部４ｃ，５ｃとしてＬＣＤを使用した場合には、その表示画面に「ハンドセット４（または５）が送話中」などといったメッセージを表示する。なお、ハンドセット４，５に夫々利用者に対応した数字ボタンが設けられ、また、かかる数字ボタンと利用者との対応リストが制御部１８に設定されており、利用者がハンドセット４または５を使用する際、該当する数字ボタンを押下操作することにより、他方のハンドセット５または４のＬＣＤの表示部５ｃまたは４ｃに、上記のメッセージに加えて、ハンドセット４または５を使用している使用者の氏名も表示するようにしてもよい。
【００３３】
また、表示部４ｃ，５ｃとしてＬＥＤを使用した場合には、その表示部４ｃ，５ｃがＬＥＤに応じた赤色などの色光を発光する。
【００３４】
さらに、かかる表示部４ｃ，５ｃとしては夫々、ハンドセット４，５に設けられるようにしてもよいが、これらハンドセット４，５が使用されないときに置かれる設置装置に、使用者が見易い状態で、設けられるようにしてもよい。
【００３５】
このようにして、この実施形態においても、一方のハンドセットが使用されているとき、他方の使用させていないハンドセットでこの一方のハンドセットが使用中であることを通知することができ、この使用されていない方のハンドセットを使用しようとする利用者は、他方のハンドセットが使用中であるか否かを確実に、かつ容易に認識することができる。
【００３６】
なお、以上の実施形態では、ハンドセットが２個設けられている場合を例として説明したが、３個以上であってもよい。
【００３７】
また、上記実施形態では、受信部３のＡＭＰ部１７から出力される通信の相手先からの受信音声信号は、この通信の相手先と通話中のハンドセット４または５にのみ供給されるものとしたが、使用されているか否かにかかわらず、いずれのハンドセット４，５も、管理センタからの音声指令を受信することが多く、この音声指令を出力する必要があることから、いずれのハンドセット４，５にも受信部３のＡＭＰ部１７から出力される音声信号を供給するようにしてもよい。これによると、特に車外に居るハンドセットの利用者が車外のハンドセットで車内のハンドセットが使用されているか否かを知ることが可能となるし、車内に居るハンドセットの利用者も、車内のハンドセットで車外のハンドセットが使用されているか否かを知ることが可能となり、騒音の中でも、他のハンドセットが使用中であるか否かを容易に確認することができる。
【符号の説明】
【００３８】
１  車載無線装置
２  送信部
３  受信部
４，５  ハンドセット
４ａ，５ａ  マイク
４ｂ，５ｂ  スピーカ
４ｃ，５ｃ  表示部
６  ＡＭＰ（増幅）部
７  Ａ／Ｄ（アナログ／デジタル）変換部
８  音声符号化部
９  ＣＨ（チャンネル）符号化部
１０  Ｄ／Ａ（デジタル／アナログ）変換部
１１  ＲＦ（無線周波）部
１２  ＲＦ部
１３  Ａ／Ｄ変換部
１４  ＣＨ復号化部
１５  音声復号化部
１６  Ｄ／Ａ変換部
１７  ＡＭＰ部
１８  制御部
１９  操作部
２０  表示部
２１  車両のフロントパネル
２２，２３  ケーブル
２４  車両
２５  パス
２６，２７  ＡＴＴ部（減衰部）
【図１】
2012205226.tif 000003
【図２】
2012205226.tif 000004
【図３】
2012205226.tif 000005
【図４】
2012205226.tif 000006